(57)【要約】      （修正有）【課題】微振動により発電する超小型発電装置を提供する。【解決手段】カバー、本体１２、弾性デバイス１４、磁性デバイス１６、コイル１８および回路板２０により構成する。本体１２内部の収納空間１２２に弾性デバイス１４および磁性デバイス１６が収納されている。弾性デバイス１４は、収納空間１２２の頂端および底端にそれぞれ配置され、磁性デバイス１６は、スライドできる状態で収納空間１２２内に配置されている。コイル１８は、本体１２の外側に巻き付けられ、回路板２０に電気的に接続されている。装置が振動を受けると、カバー内の磁性デバイス１６に振動が伝わり、磁性デバイス１６が振動および弾性デバイス１４の反発作用を受けて収納空間１２２内で往復移動を行なうことにより、コイル１８がその磁界により電流を発生する。【選択図】図３
0003158466.tif 000002
【実用新案登録請求の範囲】
【請求項１】
常時振動を受ける状態にある媒体上に配置され、低パワーエネルギーを提供する超小型発電装置であって、
カバーと、
前記カバーの内部に配置され、収納空間を有する本体と、
該収納空間内にスライド可能に配置されている磁性デバイスと、
該収納空間の頂端および底端にそれぞれ配置され、前記磁性デバイスが往復移動する弾力を提供する二つの弾性デバイスと、
前記本体の外側に巻き付けられているコイルと、
前記コイルに電気的に接続し、前記コイルの発生した電流を外部に供給する電源として処理する回路板とから構成され、
媒体が振動を受けると、前記カバー内の前記磁性デバイスに振動が伝わり、前記磁性デバイスが振動および前記弾性デバイスの弾力作用を受けて前記収納空間内で往復移動を行なうと、前記コイルが反応して電流を発生することを特徴とする超小型発電装置。
【請求項２】
前記収納空間は、内壁が滑らかであることを特徴とする請求項１に記載の超小型発電装置。
【請求項３】
前記本体は、密閉された筒体で、内部の前記収納空間が真空状態であることを特徴とする請求項１に記載の超小型発電装置。
【請求項４】
前記弾性デバイスは、スプリングであることを特徴とする請求項１に記載の超小型発電装置。
【請求項５】
ライトと組み合わせて自転車ライトを形成し、自転車などの媒体に配置されることを特徴とする請求項１に記載の超小型発電装置。
【考案の詳細な説明】
【技術分野】
【０００１】
本考案は、超小型の発電装置に関し、特に、エコロジー、簡単な構造および低コストといった特長を具え、微振動により発電を行なう低出力の電気的エネルギーを提供する超小型発電装置に関する。
【背景技術】
【０００２】
低パワーエネルギーで作動する電子製品は、電池により電源が供給されることが多い。しかし、電池による供給される電力は、限りがあるため、電池を交換する必要がある。使用済みの電池は、回収されたとしても、環境を汚染する虞が未だ多少存在するため、現今のエコロジーの流れに反するものだと言えよう。
【０００３】
使い捨ての電池に代えて、何度も充電可能な蓄電池を用いると、環境に対するダメージは低減するであろうが、蓄電池が充電できる電力も限りがあるため、電力消費後に外部電源により充電を行なわなければならないという問題がある。
【０００４】
電子製品の性能およびユーザーの使用状態により、蓄電池の電力消耗の速度が異なるだけでなく、ユーザーが残り容量を調べるのも困難であるため、常に残り容量を把握することはなかなかできない。携帯した電子製品を緊急時に使用しなければならなくなった場合、スペア電池または充電器を携帯していなかったり、電源の供給ができない状況だったりした場合、電子製品内の蓄電池の電力が完全に消費されると、ユーザにとって大変な事態となってしまう。
【０００５】
自転車を例にして説明を加える。自転車の夜間の使用には、ライトが欠かせないが、ユーザーにとって、ライト内の電池の残り電力をあらかじめ把握することは不可能である。そのため、夜間の使用において、残容量が尽きた場合は、ユーザーの安全が脅やかされることになる。
【０００６】
以上のように、エコロジーの流れに逆らうことなく、電源のない状況において、低パワーエネルギーにより電子製品を作動する技術が待たれていた。
【先行技術文献】
【特許文献】
【０００７】
【特許文献１】特開２００２−２８１７２７号公報
【考案の概要】
【考案が解決しようとする課題】
【０００８】
本考案の目的は、超小型発電装置に関し、特に、エコロジー、簡単な構造および低コストといった特長を持ち、微振動により発電を行なう低出力の電気的エネルギーを提供する超小型発電装置を提供することにある。
【０００９】
上述の目的を達成するため、本考案は、超小型発電装置を提供する。本考案の超小型発電装置は、カバー、本体、弾性デバイス、磁性デバイス、コイルおよび回路板からなる。本体は、カバーの内部に配置され、内部の収納空間に弾性デバイスおよび磁性デバイスが収納されている。弾性デバイスは、収納空間の頂端および底端にそれぞれ配置され、磁性デバイスは、スライドできる状態で収納空間内に配置されている。コイルは、本体の外側に巻き付けられ、回路板に電気的に接続されている。媒体が振動を受けると、カバー内の磁性デバイスに振動が伝わり、磁性デバイスが振動および弾性デバイスの弾力作用を受けて収納空間内で往復移動を行なうことにより、コイルが反応して電流を発生する。
【考案の効果】
【００１０】
本考案の超小型発電装置は、弾性デバイス、磁性デバイス、コイルなどを用いた簡単な構造であるため、コストを抑えることができる。微振動を利用して発電を行うため、エコロジーで、環境にやさしい。また、媒体を用いることにより、自転車やペースメーカーなどに用いることができ、その応用は多岐に渡る。
【図面の簡単な説明】
【００１１】
【図１】本考案の超小型発電装置を示す斜視図である。
【図２】本考案の超小型発電装置を示す分解斜視図である。
【図３】図２のａ−ａ'における断面図である。
【図４】超小型発電装置の動作を示す断面図である。
【図５】超小型発電装置の使用状態を示す斜視図である。
【考案を実施するための形態】
【００１２】
以下、本考案の実施形態を図面に基づいて説明する。
【００１３】
図１〜３を参照する。図１は、本考案の超小型発電装置を示す斜視図である。図２は、本考案の超小型発電装置を示す分解斜視図である。図３は、図２のａ−ａ'における断面図である。図１〜３に示すように、本考案の超小型発電装置１は、カバー１０、本体１２、弾性デバイス１４、磁性デバイス１６、コイル１８および回路板２０を具える。
【００１４】
図２に示すように、本体１２は、カバー１０の内部に配置されている。本体１２は、内部に収納空間１２２を画定し、弾性デバイス１４および磁性デバイス１６が収納されている。弾性デバイス１４は、収納空間１２２の頂端および底端にそれぞれ配置され、磁性デバイス１６は、スライドできる状態で収納空間１２２内に配置されている。
【００１５】
コイル１８は、本体１２の外側に巻き付けられ、第１の端１８２および第２の端１８４の二つの自由端を有する。第１の端１８２および第２の端１８４は、回路板２０に電気的に接続されている。回路板２０は、本実施形態において、本体１２の一方の端部に固定されたＴ型蓋内に配置されている。
【００１６】
磁性デバイス１６は、収納空間１２２の内壁にぴったりと接触している。磁性デバイス１６がスライドするときの摩擦を減らすため、収納空間１２２の内壁を滑らかに加工してもよい。また、弾性デバイス１４は、弾力を有するデバイスなら何でもよいが、本実施形態ではスプリングを使用している。
【００１７】
図４を参照する。図４は、超小型発電装置の動作を示す断面図である。図４に示すように、本考案の超小型発電装置１がわずかな振動でも受けると、収納空間１２２内の磁性デバイス１６が移動し始める。磁性デバイス１６が一方の端部の弾性デバイス１４に衝突すると、弾性デバイス１４の弾力によりもう一方の端部の弾性デバイス１４に向かって移動する。以上のように、微振動で作動し、弾性デバイス１４の弾力による反動で、磁性デバイス１６が収納空間１２２内で長時間にわたり往復移動を行なう。
【００１８】
磁性デバイス１６が収納空間１２２内で往復移動を行なうということは、本体１２の外側のコイル１８を何度も通過することになる。磁性デバイス１６が絶え間なくコイル１８を通過し相対的な移動を行なうと、コイル１８は、磁性デバイス１６の磁界により電流を発生する。コイル１８および回路板２０は、電気的に接続しているので、発生した電流は回路板２０に伝達され、外部に供給する電源として処理される。
【００１９】
本体１２の内部の収納空間１２２は、真空状態であるのが望ましい。本体１２は、密閉された筒体で、収納空間１２２が真空であると、磁性デバイス１６および弾性デバイス１４に対する空気抵抗を排除することができ、弾性デバイス１４の往復運動を長く維持することができる。
【００２０】
超小型発電装置１は、常時振動を受ける状態にある車両、機械または人体などの媒体に配置される。媒体が振動すると、弾性デバイス１４を介して磁性デバイス１６に伝わり、磁性デバイス１６が移動を始める。
【００２１】
図５を参照する。図４は、超小型発電装置の使用状態を示す斜視図である。図５に示すように、本考案の超小型発電装置１は、自転車のハンドル４上のライト３内に配置されている。これにより、自転車ライトの電源を構成し、自転車の照明電源を提供する目的を果たすことができる
【００２２】
自転車ライトは、発光ダイオードなどを採用することにより低パワーエネルギーで作動するので、本考案の超小型発電装置で十分に電気エネルギーを提供することができ、電池、蓄電池などの電源を必要としないため、従来技術の欠点を解決することができる。自転車の使用中においては、路面が平坦でないため、自然に振動が持続する。この振動は、本考案の超小型発電装置により、電気エネルギーに転換され、運転中の照明に絶え間なく提供される。
【００２３】
本考案の超小型発電装置は、自転車以外でも、微振動があれば、電気エネルギーを提供することができる。超小型発電装置は、低パワーエネルギーで作動する電子装置の主要電源以外にも、蓄電池とともに用いることにより、蓄電池に電気エネルギーを提供する補助電源として用いることができる。
【００２４】
本考案の超小型発電装置は、人体にも用いることができる。ペースメーカーなどの医療機器の電源に用いることができる。ペースメーカーが絶え間なく電源の供給を受けられるように、蓄電池および超小型発電装置を組み合わせて使用することができる。ユーザーの活動時は、振動により超小型発電装置が電流を発生して蓄電池に充電を行い、ユーザーの静止時は、蓄電池の電気エネルギーを用いる。
【００２５】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００２６】
１  超小型発電装置
３  ライト
４  ハンドル
１０  カバー
１２  本体
１４  弾性デバイス
１６  磁性デバイス
１８  コイル
２０  回路板
１２２  収納空間
１８２  第１の端
１８４  第２の端
【図１】
0003158466.tif 000003
【図２】
0003158466.tif 000004
【図３】
0003158466.tif 000005
【図４】
0003158466.tif 000006
【図５】
0003158466.tif 000007